(57)【特許請求の範囲】
【請求項１】
ヒータにより加熱されるベースを有するアイロン本体と、前記アイロン本体を載置する載置台と、前記載置台上に載置した前記アイロン本体を覆うアイロンケースと、前記アイロンケースを前記載置台に着脱自在に連結する結合手段とを具備し、前記結合手段は、前記アイロンケースの長手面の対向する両側に設けて、前記アイロンケースの前記結合手段の近傍を長手面と直交する外方向に外力を加えると、前記アイロンケースを前記載置台から取り外せるように構成するとともに、前記アイロンケースが前記載置台に対して水平回転方向に相対位置が変位したとき、前記アイロンケースの解錠方向への動作が規制されるようにしたアイロン収納装置。
【請求項２】
結合手段は、アイロンケースまたは載置台のいずれか一方に設けられた凸部と、前記凸部を囲むように対向して他方に設けられ、前記凸部と水平方向に係合離脱可能とした溝部が設けられた凹部を有し、前記凸部は、前記アイロンケースと前記載置台との間に水平方向に突出して形成され、かつ、アイロンケースが水平回転方向への変位時に前記凹部に設けた溝部に係止する係止部を設けるとともに、前記アイロンケースの上昇時に前記凸部が当接する係合部を前記凹部に設け、前記アイロンケースが前記載置台に対して水平方向に相対位置が変位しないときは、前記凹部の溝部に前記凸部の係止部が入り込まない請求項１記載のアイロン収納装置。
【請求項３】
結合手段は、アイロンケースまたは載置台のいずれか一方に設けられた凸部を所定の間隔を有して複数形成し、前記凸部に設けた係止部は水平方向で凹部に設けた溝部の方向に突出させて形成した請求項２記載のアイロン収納装置。
【請求項４】
結合手段は、アイロンケースまたは載置台のいずれか一方に設けられた凸部と、前記凸部に対向して他方に設けられ、前記凸部と水平方向に係合離脱可能とした溝部を設けた凹部を有し、前記凸部は、前記アイロンケースと前記載置台との間に水平方向に突出して形成され、かつ、アイロンケースが水平回転方向への変位時に前記凹部に設けた溝部に係止する傾斜部を設けるとともに、前記アイロンケースの上昇時に前記凸部が当接する係合部を前記凹部に設け、前記アイロンケースが前記載置台に対して水平回転方向に相対位置が変位しないときは、前記凹部の溝部に前記凸部の傾斜部が入り込まない請求項１記載のアイロン収納装置。
【請求項５】
結合手段は、アイロンケースまたは載置台のいずれか一方に設けられた凸部を所定の間隔を有して複数形成し、前記凸部に設けた傾斜部を前記凹部と対向する面に設けるとともに、水平方向で前記凹部に設けた溝部に向かって広がるように傾斜させた請求項４記載のアイロン収納装置。
【発明の詳細な説明】
【０００１】
【発明の属する技術分野】
本発明は、衣類等のしわ伸ばしを行なうために使用されるアイロンを収納するアイロン収納装置に関するものである。
【０００２】
【従来の技術】
従来、この種のアイロン収納装置は、図５〜図８に示すような構成をしていた。以下、その構成について説明する。図５において、１はアイロン本体であり、下方には内部にヒータ（図示せず）を配設したベース２を設け、かつ、上方には内部に水を貯えるためのタンク３と、握り部４が設けられている。一方、５はアイロン本体１を載置するための台の上方を形成する載置台で、その上方にはアイロン本体１のベース２に対向して遮熱部６が覆設されている。７は台の下方を形成する載置台裏蓋である。８はアイロン本体１を前記載置台に載置した状態で収納する際に上方に覆設されるアイロンケースであり、９は前記アイロンケース８の上方に固定されたハンドルである。
【０００３】
一方、図６〜図８はアイロンケース８が載置台５に固定されている状態を示す図５のａ―ａの断面図である。図６に示すようにアイロンケース８の内側には、載置台５の側面に突出させたフランジ部１０の下方に対向するように突出部１１を設けている。この突出部１１は、アイロンケース８を持ち上げることにより上方へ移動してフランジ部１０に係合し、載置台５と連結した状態に保持される。アイロンケース８を外す場合は、図６の矢印イ方向に外力を加えてアイロンケース８を変形させ、突出部１１をフランジ部１０の下方から外方へ変位させ、干渉状態を解除することで行なえる。
【０００４】
このような構成で、アイロンケース８に設けられたハンドル９を持って運搬する場合、アイロンケース８と載置台５との結合状態が何らかの衝撃等の外部からの力により外れるのを防止するために、突出部１１の先端には上方へ突出させた凸部１２が設けてあり、ハンドル９を持ってアイロンケース８を矢印ロ方向に持ち上げることによって、凸部１２がフランジ部１０のスリット１３に下方から嵌合する。
【０００５】
したがって、図７に示すようにアイロンケース８が持ち上げられて載置台５に対して相対的に上方に移動しているときは、アイロンケース８に図６の矢印イ方向へ変形させる外力が作用しても連結状態が解除されることがなく、安全に運搬することができるようにしている。
【０００６】
【発明が解決しようとする課題】
しかしながら、このような従来の構成では、利用者がアイロンケース８を開けようとした際、少しでもアイロンケース８を載置台５に対して相対的に上方へ移動させた場合、前述のようにアイロンケース８に設けられた凸部１２が載置台５に設けたスリット部１３に嵌合した状態になるため、普通にアイロンケース８を外す操作を行おうとした場合でも、アイロンケース８を矢印イ方向へ変形させにくく、操作しにくいという不具合があった。
【０００７】
そして、このような不具合を解決するために、アイロンケース８を矢印ロ方向へ持ち上げたときに、相互に嵌合する凸部１２とスリット１３をなくすべく、例えば、図８に示すように、アイロンケース８に上面が平らな突出部１４を設けるとともに、この突出部１４が係合するフランジ部１５を載置台５に設けることが考えられる。このような構成によれば、アイロンケース８を上方へ変位させた状態でもアイロンケース８を矢印イ方向へ容易に変形させることができ、操作性をよくすることができる反面、次のような新たな課題が生じる。
【０００８】
すなわち、アイロンケース８の容易な矢印イ方向への変形によって、運搬中に不用意に連結が解除されるという問題である。運搬中におけるアイロンケース８の矢印イ方向への変形は、合成樹脂等により例えば長円形に作られたアイロンケース８が、運搬中に載置台５に対して水平回転方向に外力が加わることにより、アイロンケース８を矢印イ方向へ変形させる力が作用して外側へ広がることによるものである。
【０００９】
本発明は上記課題を解決するもので、載置台からアイロンケースを取り外すときは容易に結合状態を解除することができるとともに、運搬中は不用意に連結が解除されることのない安全なアイロン収納装置を提供するものである。
【００１０】
【課題を解決するための手段】
そして、上記目的を達成するために本発明のアイロン収納装置は、アイロンケースを載置台に着脱自在に連結する結合手段は、アイロンケースの長手面の対向する両側に設けて、アイロンケースの結合手段の近傍を長手面と直交する外方向に外力を加えると、アイロンケースを載置台から取り外せるように構成するとともに、アイロンケースが載置台に対して水平回転方向に相対位置が変位したとき、前記アイロンケースの解錠方向への動作が規制されるようにしたものである。
【００１１】
これにより、載置台からアイロンケースを取り外すときは、容易に結合状態を解除することができるとともに、運搬中は不用意に連結が解除されることのない安全なアイロン収納装置を実現することができる。
【００１２】
【発明の実施の形態】
請求項１に記載の発明は、ヒータにより加熱されるベースを有するアイロン本体と、前記アイロン本体を載置する載置台と、前記載置台上に載置した前記アイロン本体を覆うアイロンケースと、前記アイロンケースを前記載置台に着脱自在に連結する結合手段とを具備し、前記結合手段は、前記アイロンケースの長手面の対向する両側に設けて、前記アイロンケースの前記結合手段の近傍を長手面と直交する外方向に外力を加えると、前記アイロンケースを前記載置台から取り外せるように構成するとともに、前記アイロンケースが前記載置台に対して水平回転方向に相対位置が変位したとき、前記アイロンケースの解錠方向への動作が規制されるようにしたものであり、載置台からアイロンケースを取り外すときは容易に結合状態を解除することができるとともに、運搬中に載置台に対して水平回転方向に外力が加えられた場合でも、アイロンケースが変形し外側へ広がることがなく、不用意に連結が解除されることを防止することができる。
【００１３】
請求項２に記載の発明は、上記請求項１に記載の発明において、結合手段は、アイロンケースまたは載置台のいずれか一方に設けられた凸部と、前記凸部を囲むように対向して他方に設けられ、前記凸部と水平方向に係合離脱可能とした溝部が設けられた凹部を有し、前記凸部は、前記アイロンケースと前記載置台との間に水平方向に突出して形成され、かつ、アイロンケースが水平回転方向への変位時に前記凹部に設けた溝部に係止する係止部を設けるとともに、前記アイロンケースの上昇時に前記凸部が当接する係合部を前記凹部に設け、前記アイロンケースが前記載置台に対して水平方向に相対位置が変位しないときは、前記凹部の溝部に前記凸部の係止部が入り込まないようにしたものであり、載置台からアイロンケースを取り外すときは、凹部と係止部との間に形成した隙間により、結合状態を容易に解除することができ、操作性をよくすることができるとともに、運搬中に載置台に対して水平回転方向に外力が加えられた場合は、凹部に設けた溝部に係止部が嵌合してアイロンケースの変形を規制することができ、結合手段の連結が不用意に解除されることを防止することができる。
【００１４】
請求項３に記載の発明は、上記請求項２に記載の発明において、結合手段は、アイロンケースまたは載置台のいずれか一方に設けられた凸部を所定の間隔を有して複数形成し、前記凸部に設けた係止部は水平方向で凹部に設けた溝部の方向に突出させて形成したものであり、運搬中にアイロンケースが載置台に対して左右のいずれの水平回転方向に変位した場合でも、結合手段の連結が不用意に解除されることを防止することができる。
【００１５】
請求項４に記載の発明は、上記請求項１に記載の発明において、結合手段は、アイロンケースまたは載置台のいずれか一方に設けられた凸部と、前記凸部に対向して他方に設けられ、前記凸部と水平方向に係合離脱可能とした溝部を設けた凹部を有し、前記凸部は、前記アイロンケースと前記載置台との間に水平方向に突出して形成され、かつ、アイロンケースが水平回転方向への変位時に前記凹部に設けた溝部に係止する傾斜部を設けるとともに、前記アイロンケースの上昇時に前記凸部が当接する係合部を前記凹部に設け、前記アイロンケースが前記載置台に対して水平回転方向に相対位置が変位しないときは、前記凹部の溝部に前記凸部の傾斜部が入り込まないようにしたものであり、載置台からアイロンケースを取り外すときは、凹部と傾斜部との間に形成した隙間により、結合状態を容易に解除することができ、操作性をよくすることができるとともに、運搬中に載置台に対して水平回転方向に外力が加えられた場合は、傾斜部が凹部の溝部に係止してアイロンケースの変形を規制することができ、結合手段の連結が不用意に解除されることを防止することができる。
【００１６】
請求項５に記載の発明は、上記請求項４に記載の発明において、結合手段は、アイロンケースまたは載置台のいずれか一方に設けられた凸部を所定の間隔を有して複数形成し、前記凸部に設けた傾斜部を前記凹部と対向する面に設けるとともに、水平方向で前記凹部に設けた溝部に向かって広がるように傾斜させたものであり、アイロンケースが載置台に対して左右のいずれの水平回転方向に変位した場合は、凸部が載置台側へ引き付けられるように作用し、結合手段の連結が不用意に解除されることを防止することができる。
【００１７】
【実施例】
以下、本発明の実施例について、図面を参照しながら説明する。なお、従来例と同じ構成のものは同一番号を付与して説明を省略する。
【００１８】
（実施例１）
図１〜図３に示すように、２０は長形に設けた合成樹脂製のアイロンケース８の長手面の対向する両側に設けられ、かつ、その内側の壁面に内方へ突出するように形成した凸部で、所定の間隔で複数形成したこの凸部２０の先端には、水平方向で、かつ、相反する外側に向かって突出した略Ｌ字状の係止部２１が設けられている。
【００１９】
載置台５側には、前記凸部２０に対向してその外側を囲むように凹部２２が形成してあり、この凹部２２には、その上方に前記凸部２０に対向して設けた係合部２３と、アイロンケース８が水平回転方向への変位時に係止部２１が嵌合する溝部２４が設けられている。そして、前記凹部２２と係止部２１との間に所定の隙間ａを設けてあり、結合手段２５は、載置台５側に形成した凹部２２と、アイロンケース８側に形成した凸部２０等で構成している。
【００２０】
上記構成において、その動作を説明すると、アイロンケース８を載置台５から取り外すときは、任意の設置場所に置いて、アイロンケース８の長手面の対向する両側に設けられた結合手段２５の近傍を矢印ハ方向へ外力を加えると、凹部２２と係止部２１との間に所定の隙間ａを設けているため、凸部２０と係止部２１は凹部２２から容易に離脱させることができる。
【００２１】
使用後は、載置台５にアイロン本体１を載置してアイロンケース８を被せ、結合手段２５により載置台５にアイロンケース８を固定すると、アイロンケース８に設けた凸部２０の上方に対向して設けた係合部２３に凸部２０が係合し、結合された載置台５とともにハンドル９を持って運搬することができる。
【００２２】
そして、上記運搬時にアイロンケース８が載置台５に対して水平回転方向に相対位置が変位したとき、アイロンケース８が解錠方向へ動作するのを規制されるように構成している。すなわち、ハンドル９を持って持ち上げている際に何らかの外的衝撃荷重が加わると、アイロンケース８と載置台５の水平回転方向の相対位置にずれが生じるため、係止部２１が溝部２４内に入り込んで、凹部２２と係止部２１との間の隙間ａがなくなる。したがって、運搬中に結合手段２５が不用意に解除されることがなく、安全に運搬することができる。
【００２３】
（実施例２）
図４に示すように、２６はアイロンケース８の内壁から載置台５に向かって所定の間隔を有して複数突出させた凸部で、載置台５に設けた凹部２７に対向してその内側に位置するように形成してあり、この凹部２７と対向した面は、凹部２７との隙間が小さくなる方向に角度Ｚだけ傾斜させた傾斜部２８を形成し、この傾斜部２８は相反する外側に向かって広がるように傾斜させている。そして、傾斜部２８の先端部と凹部２７の入り口の間には所定の隙間ｃを設けている。２９は凹部２７に設けられた溝部である。他の構成は実施例１と同じである。
【００２４】
上記構成によれば、アイロンケース８を取り外すときは、凹部２７と傾斜部２８との間に所定の隙間ｃを設けているため、アイロンケース８を矢印イ方向へ変形させることによって、凸部２６を凹部２７から容易に離脱させることができる。そして、運搬時にアイロンケース８と載置台５に水平回転方向への相対位置にずれが生じた場合、凹部２７に設けられた溝部２９に傾斜部２８が当接してアイロンケース８に矢印ニ方向への付勢力が働き、アイロンケース８が外側に変形することを防止することができ、アイロンケース８が載置台５から不用意に外れるのを防止することができる。
【００２５】
なお、上記実施例１、２で示した構成は、凸部２０、２６をアイロンケース８側に、また、凹部２２、２７を載置台５側に設けたが、逆の配置をとっても同様の効果を有することは言うまでもない。
【００２６】
【発明の効果】
以上のように本発明の請求項１に記載の発明によれば、ヒータにより加熱されるベースを有するアイロン本体と、前記アイロン本体を載置する載置台と、前記載置台上に載置した前記アイロン本体を覆うアイロンケースと、前記アイロンケースを前記載置台に着脱自在に連結する結合手段とを具備し、前記結合手段は、前記アイロンケースの長手面の対向する両側に設けて、前記アイロンケースの前記結合手段の近傍を長手面と直交する外方向に外力を加えると、前記アイロンケースを前記載置台から取り外せるように構成するとともに、前記アイロンケースが前記載置台に対して水平回転方向に相対位置が変位したとき、前記アイロンケースの解錠方向への動作が規制されるようにしたから、載置台からアイロンケースを取り外すときは、結合手段の解除操作を容易にして使い勝手をよくすることができるとともに、運搬中に結合手段が不用意に解除されるのを防止することができる。
【００２７】
また、請求項２に記載の発明によれば、結合手段は、アイロンケースまたは載置台のいずれか一方に設けられた凸部と、前記凸部を囲むように対向して他方に設けられ、前記凸部と水平方向に係合離脱可能とした溝部が設けられた凹部を有し、前記凸部は、前記アイロンケースと前記載置台との間に水平方向に突出して形成され、かつ、アイロンケースが水平回転方向への変位時に前記凹部に設けた溝部に係止する係止部を設けるとともに、前記アイロンケースの上昇時に前記凸部が当接する係合部を前記凹部に設け、前記アイロンケースが前記載置台に対して水平方向に相対位置が変位しないときは、前記凹部の溝部に前記凸部の係止部が入り込まないようにしたから、載置台からアイロンケースを取り外すときは、凹部と係止部との間に形成した隙間により、結合状態を容易に解除でき、操作性をよくすることができるとともに、運搬中に結合手段が不用意に解除されるのを防止することができる。
【００２８】
また、請求項３に記載の発明によれば、結合手段は、アイロンケースまたは載置台のいずれか一方に設けられた凸部を所定の間隔を有して複数形成し、前記凸部に設けた係止部は水平方向で凹部に設けた溝部の方向に突出させて形成したから、アイロンケースが載置台に対して左右のいずれの水平回転方向に変位した場合でも、結合手段が不用意に解除されるのを防止することができる。
【００２９】
また、請求項４に記載の発明によれば、結合手段は、アイロンケースまたは載置台のいずれか一方に設けられた凸部と、前記凸部に対向して他方に設けられ、前記凸部と水平方向に係合離脱可能とした溝部を設けた凹部を有し、前記凸部は、前記アイロンケースと前記載置台との間に水平方向に突出して形成され、かつ、アイロンケースが水平回転方向への変位時に前記凹部に設けた溝部に係止する傾斜部を設けるとともに、前記アイロンケースの上昇時に前記凸部が当接する係合部を前記凹部に設け、前記アイロンケースが前記載置台に対して水平回転方向に相対位置が変位しないときは、前記凹部の溝部に前記凸部の傾斜部が入り込まないようにしたから、載置台からアイロンケースを取り外すときは、凹部と傾斜部との間に形成した隙間により、結合状態を容易に解除でき、操作性をよくすることができるとともに、運搬中に結合手段が不用意に解除されるのを防止することができる。
【００３０】
また、請求項５に記載の発明によれば、結合手段は、アイロンケースまたは載置台のいずれか一方に設けられた凸部を所定の間隔を有して複数形成し、前記凸部に設けた傾斜部を前記凹部と対向する面に設けるとともに、水平方向で前記凹部に設けた溝部に向かって広がるように傾斜させたから、アイロンケースが載置台に対して左右のいずれの水平回転方向に変位した場合でも、結合手段が不用意に解除されるのを防止することができる。
【図面の簡単な説明】
【図１】  本発明の実施例１のアイロン収納装置のアイロンケースを外した状態の斜視図
【図２】  同アイロン収納装置の要部切欠断面図
【図３】  同アイロン収納装置の要部切欠斜視図
【図４】  本発明の実施例２のアイロン収納装置の要部切欠断面図
【図５】  従来のアイロン収納装置のアイロンケースを外した状態の斜視図
【図６】  同アイロン収納装置のアイロンケースの取り外し時の要部切欠断面図
【図７】  同アイロン収納装置の運搬時の要部切欠断面図
【図８】  同アイロン収納装置の他の構成を示した要部切欠断面図
【符号の説明】
１  アイロン本体
２  ベース
５  載置台
８  アイロンケース
２５  結合手段
【図１】
0003656578.tif 000002
【図２】
0003656578.tif 000003
【図３】
0003656578.tif 000004
【図４】
0003656578.tif 000005
【図５】
0003656578.tif 000006
【図６】
0003656578.tif 000007
【図７】
0003656578.tif 000008
【図８】
0003656578.tif 000009